(57)【要約】【課題】表示調整用パターンや専用カメラを用いた表示調整を必要とせずに、解像度の異なる画像信号を自動で判別して表示制御を行う映像処理装置およびその制御方法を提供すること。【解決手段】映像表示装置１００は、高解像度フレーム画像を分割した分割フレーム画像、または標準解像度のフレーム画像の信号を受信する複数の分割映像受信部１０１−１０４を有する。エッジ検出部１１４は、フレーム画像間の連続性についてエッジ部を抽出して検出し、エッジ情報を標準分割フレーム画像判断部１１５に送信する。入力されたフレーム画像が画像間に連続性を有する分割フレーム画像の場合、映像統合処理部１０５は分割フレーム画像を統合したデータを画像領域調整部１０７に出力する。また、入力されたフレーム画像が画像間に連続性の無い標準解像度のフレーム画像の場合、画像領域調整部１０７は該フレーム画像を拡大したデータを表示部１０８に出力する。【選択図】  図２
2013120204.tif 000002
【特許請求の範囲】
【請求項１】
１枚の表示画像を構成する複数の分割画像に係る分割画像信号と、１枚の表示画像を単独で構成する画像に係る単独画像信号を受信し、受信した画像信号を判別して表示手段に表示させる処理を行う映像処理装置であって、
前記分割画像信号および前記単独画像信号を受信する受信手段と、
前記受信手段が受信する信号に係る第１画像と、受信済みの画像信号に係る第２画像の間の繋ぎ目となる境界部にて画像の連続性の有無を検出する画像連続性検出手段と、
前記画像連続性検出手段によって前記第１画像と第２画像との境界部に連続性があることが検出された場合、前記第１画像に係る画像信号を前記分割画像信号と判断し、前記画像連続性検出手段によって前記第１画像と第２画像との境界部に連続性がないことが検出された場合、前記第１画像に係る画像信号を前記単独画像信号と判断する画像信号判断手段と、
前記画像信号判断手段が判断した前記複数の分割画像信号から前記分割画像を結合した前記表示画像のデータを生成する画像統合手段と、
前記画像信号判断手段が判断した前記単独画像信号から画像データを生成する画像処理手段を備えることを特徴とする映像処理装置。
【請求項２】
前記受信手段の受信した画像信号が、前記画像信号判断手段によって前記単独画像信号であると判断された場合、前記画像処理手段は前記単独画像信号に係る画像の拡大処理を行うことを特徴とする請求項１記載の映像処理装置。
【請求項３】
前記受信手段は、前記表示画像を表示画面にて横方向および縦方向に分割した複数の領域の画像ごとに伝送される前記分割画像信号、または前記分割画像により構成される前記表示画像に比べて解像度の低い画像について伝送される前記単独画像信号を受信することを特徴とする請求項１または２記載の映像処理装置。
【請求項４】
ｍ、ｎ、ｋ（1≦ｋ＜ｎ）、およびｊ（1≦ｊ＜ｍ）を自然数変数とし、表示画面にて縦方向の分割数をｍとし、横方向の分割数をｎとするとき、前記受信手段は最大でｍ×ｎ個の分割画像に係る分割画像信号を受信し、
前記画像統合手段は、前記横方向にてｋ分割されるか、または前記縦方向にてｊ分割された分割画像に係る前記分割画像信号を前記受信手段が受信した場合、複数の分割画像を結合した前記表示画像を前記表示手段の中央に表示させるために位置変更制御を行うことを特徴とする請求項３記載の映像処理装置。
【請求項５】
前記画像連続性検出手段は、前記境界部において各画像のエッジ部を抽出し、該エッジ部に連続性がある場合に画像の連続性があると判定することを特徴とする請求項１乃至４のいずれか１項記載の映像処理装置。
【請求項６】
画像連続性検出手段は、前記境界部において各画像の画素データの相関度が閾値を超える場合に画像の連続性があると判定することを特徴とする請求項１乃至４のいずれか１項記載の映像処理装置。
【請求項７】
１枚の表示画像を構成する複数の分割画像に係る画像情報およびそれぞれの分割画像をどの位置に配置させるかを示す配置情報を含む分割画像信号と、１枚の表示画像を単独で構成する単独画像信号を受信し、受信した画像信号を判別して表示手段に表示させる処理を行う映像処理装置であって、
前記分割画像信号および前記単独画像信号を受信する受信手段と、
前記受信手段が受信する画像信号に係る第１画像と、受信済みの画像信号に係る第２画像との連続性について、前記第１画像の配置情報と前記第２画像の配置情報から、前記第１画像および第２画像が前記表示画像を構成する場合には前記第１画像に係る画像信号を前記分割画像信号と判断し、前記第１画像および第２画像が前記表示画像を構成しない場合には前記第１画像に係る画像信号を前記単独画像信号と判断する画像信号判断手段と、
前記画像信号判断手段が判断した前記複数の分割画像信号から前記分割画像を結合した前記表示画像のデータを生成する画像統合手段と、
前記画像信号判断手段が判断した前記単独画像信号から画像データを生成する画像処理手段を備えることを特徴とする映像処理装置。
【請求項８】
１枚の表示画像を構成する複数の分割画像に係る分割画像信号と、１枚の表示画像を単独で構成する画像に係る単独画像信号を受信し、受信した画像信号を判別して表示手段に表示させる処理を行う映像処理装置にて実行される制御方法であって、
前記分割画像信号および前記単独画像信号を受信する受信ステップと、
前記受信ステップで受信する信号に係る第１画像と、受信済みの画像信号に係る第２画像の間の繋ぎ目となる境界部にて画像の連続性の有無を検出する検出ステップと、
前記検出ステップにて前記第１画像と第２画像との境界部に連続性があることが検出された場合、前記第１画像に係る画像信号を前記分割画像信号と判断し、前記検出ステップにて前記第１画像と第２画像との境界部に連続性がないことが検出された場合、前記第１画像に係る画像信号を前記単独画像信号と判断する画像信号判断ステップと、
前記画像信号判断ステップにて前記分割画像信号と判断された複数の画像信号から前記分割画像を結合した前記表示画像のデータを生成する画像統合ステップと、
前記画像信号判断ステップにて前記単独画像信号と判断された画像信号から画像データを生成する画像処理ステップを有することを特徴とする映像処理装置の制御方法。
【請求項９】
１枚の表示画像を構成する複数の分割画像に係る画像情報およびそれぞれの分割画像をどの位置に配置させるかを示す配置情報を含む分割画像信号と、１枚の表示画像を単独で構成する単独画像信号を受信し、受信した画像信号を判別して表示手段に表示させる処理を行う映像処理装置にて実行される制御方法であって、
前記分割画像信号および前記単独画像信号を受信する受信ステップと、
前記受信ステップで受信する画像信号に係る第１画像と、受信済みの画像信号に係る第２画像との連続性について、前記第１画像の配置情報と前記第２画像の配置情報から、前記第１画像および第２画像が前記表示画像を構成する場合には前記第１画像に係る画像信号を前記分割画像信号と判断し、前記第１画像および第２画像が前記表示画像を構成しない場合には前記第１画像に係る画像信号を前記単独画像信号と判断する画像信号判断ステップと、
前記画像信号判断ステップにて前記分割画像信号と判断された複数の画像信号から前記分割画像を結合した前記表示画像のデータを生成する画像統合ステップと、
前記画像信号判断ステップにて前記単独画像信号と判断された画像信号から画像データを生成する画像処理ステップを有することを特徴とする映像処理装置の制御方法。
【発明の詳細な説明】
【技術分野】
【０００１】
本発明は、画像信号を判別して表示させる映像処理装置およびその制御方法に関する。
【背景技術】
【０００２】
１枚の高解像度フレーム画像を複数の領域に分割した後、個別のケーブルで各々伝送し、受信装置側で元の高解像フレーム画像への再合成を行うことによって、高解像度映像信号の送受信を実現する送信機器と映像表示装置が実用化されている。この種の装置では、複数本のケーブルを用いた高解像度フレーム画像の伝送に加えて、単一ケーブルを用いた伝送で１つのコンテンツを送信可能である。後者の場合、標準解像度のフレーム画像の表示機能が実現される。
図１（Ａ）は、送信機器にて１枚の高解像度フレーム画像を４つの領域に分割し、各ケーブルでそれぞれ映像表示装置に伝送する例を示す。また図１（Ｂ）は、標準解像度のフレーム画像を１本のケーブルで送信機器から映像表示装置に伝送する例を示す。
【０００３】
従来の映像表示装置では、入力映像信号に係るフォーマットについて予め映像表示装置でユーザが設定操作を行う必要がある。つまり高解像度フレーム画像を映像表示装置で表示する場合、領域分割したフレーム画像の信号を複数本のケーブル伝送で受信するようにユーザの設定を要する。また、標準解像度フレーム画像を表示する場合には、１本のケーブル伝送で受信するようにユーザは再度、映像表示装置に設定する必要がある。
特許文献１に開示の装置では、カメラを用いて表示調整用パターンを撮影し、カメラで得た画像を解析する。表示調整用パターンが最適に表示可能な設定となるように調整することにより、異なる解像度をもつ画像信号の入力に対応できる。
【先行技術文献】
【特許文献】
【０００４】
【特許文献１】特開２００２−３６５７１８号公報
【発明の概要】
【発明が解決しようとする課題】
【０００５】
しかしながら、従来の技術では、画像解析によって高解像度フレーム画像と標準解像度フレーム画像を自動で判別して表示させるための設備が大掛かりであった。前記特許文献１に開示の技術では、画面上の表示調整用パターンを専用カメラで撮影して表示調整を行う必要がある。すなわち、表示調整用パターンや専用カメラの使用が必要であるため、ユーザにとって負担が大きく、完全な自動化には至っていなかった。
そこで本発明は、表示調整用パターンや専用カメラを用いた表示調整を必要とせずに、解像度の異なる画像信号を自動で判別して表示制御を行う映像処理装置およびその制御方法の提供を目的とする。
【課題を解決するための手段】
【０００６】
上記課題を解決するために本発明に係る装置は、１枚の表示画像を構成する複数の分割画像に係る分割画像信号と、１枚の表示画像を単独で構成する画像に係る単独画像信号を受信し、受信した画像信号を判別して表示手段に表示させる処理を行う映像処理装置であって、前記分割画像信号および前記単独画像信号を受信する受信手段と、前記受信手段が受信する信号に係る第１画像と、受信済みの画像信号に係る第２画像の間の繋ぎ目となる境界部にて画像の連続性の有無を検出する画像連続性検出手段と、前記画像連続性検出手段によって前記第１画像と第２画像との境界部に連続性があることが検出された場合、前記第１画像に係る画像信号を前記分割画像信号と判断し、前記画像連続性検出手段によって前記第１画像と第２画像との境界部に連続性がないことが検出された場合、前記第１画像に係る画像信号を前記単独画像信号と判断する画像信号判断手段と、前記画像信号判断手段が判断した前記複数の分割画像信号から前記分割画像を結合した前記表示画像のデータを生成する画像統合手段と、前記画像信号判断手段が判断した前記単独画像信号から画像データを生成する画像処理手段を備える。
【発明の効果】
【０００７】
本発明によれば、表示調整用パターンや専用カメラを用いた表示調整を必要とせずに、解像度の異なる画像信号を自動で判別して表示制御を行える。
【図面の簡単な説明】
【０００８】
【図１】分割画像信号および単独画像信号の入力形態を例示する説明図である。
【図２】図３乃至６と併せて本発明の第１実施形態を説明するために、映像表示装置の概略構成を例示するブロック図である。
【図３】境界領域抽出処理と映像統合処理を説明する図である。
【図４】フレーム画像の表示領域を示す図（Ａ）および境界領域を示す図（Ｂ）である。
【図５】エッジ情報に基づくタイプ類別の説明図である。
【図６】映像表示装置における処理例を示すフローチャートである。
【図７】本発明の第２実施形態に係る映像表示装置の概略構成を例示するブロック図である。
【図８】本発明の第２実施形態における、統合画像の表示位置制御を説明する図である。
【図９】本発明の第３実施形態に係る映像表示装置の概略構成を例示するブロック図である。
【発明を実施するための形態】
【０００９】
以下に図面を参照しつつ、本発明を実施するための好適な形態を説明する。
まず、用語の定義と前提事項について説明する。１枚の表示画像（元画像ともいう）を構成する複数の分割画像を分割フレーム画像と呼び、個々の領域の分割画像信号同士の間に遅延量は発生しないものとする。仮に１フレーム以内の遅延が発生したとしても、それぞれの分割フレーム画像とともに送信される垂直同期信号等を用いて同期化処理が可能であるため、遅延量は発生しないものと扱っても問題はない。また、ｍおよびｎを自然数変数とし、表示画面にて縦方向の分割数をｍとし、横方向の分割数をｎとするとき、最大でｍ×ｎ個の分割フレーム画像の伝送が可能であるとする。図１（Ａ）に示す例ではｍ＝２、ｎ＝２であり、送信機器から伝送される高解像度のフレーム画像１０は４つの領域１０Ａ乃至Ｄに分割して送信される。つまり、映像表示装置は４つの入力端子を持ち、分割伝送された左上領域分割フレーム画像１０Ａ、右上分割領域フレーム画像１０Ｂ、左下領域分割フレーム画像１０Ｃ、右下領域分割フレーム画像１０Ｄの信号を各端子にてそれぞれ受信する。以下では説明の簡素化のため、［左|右］［上|下］領域分割フレーム画像を、単に［左|右］［上|下］画像と呼び（［ｘ|ｙ］は正規表現を表す）、これらの画像を区別する必要がない場合、単に分割フレーム画像と呼ぶ。なお、分割数ｍやｎの値は任意であり、以下に説明する処理は６分割等でも同様に適用可能である。分割方法については、短冊状に分割する方法等でも構わない。
【００１０】
また、図１（Ｂ）に示すように、標準解像度フレーム画像１１については１本のケーブルで送信機器から映像表示装置に送信されるものとする。以下では、１枚の表示画像を単独で構成する単独画像信号に関して、複数の分割フレーム画像で構成される高解像度画像に比べて解像度の低い標準解像度のフレーム画像を標準フレーム画像と呼ぶ。また分割フレーム画像と標準フレーム画像を総称して、フレーム画像と呼ぶことにする。
また、本発明における「解像度」とは、例えば１インチ当りに含まれる画素の数といった、定められた領域における画素密度を示す意味に限定されるものではない。本発明における「解像度」とは画像信号が本来有する画素の数という意味をも含む表現である。従って、解像度変換とは、画素の密度を変換するだけでなく、画素の数を変化させる処理をも含む。解像度の低減とは画像信号から画素の数を減らす処理である。また、解像度の向上とは画像信号に含まれる画素の数を増加させる処理である。本発明の特許請求の範囲、明細書及び図面で用いられる「解像度」は、上述した定義で利用されていることに留意されたい。
なお、本発明は、表示パネル等を用いた表示手段を含む映像表示装置に限らず、映像出力信号を外部表示手段に送信して画像表示を行う映像処理装置にも適用可能である。
【００１１】
［第１実施形態］
以下、図面を参照して、本発明の第１実施形態を詳細に説明する。第１実施形態ではフレーム画像を異なる入力端子から複数入力することが可能である。この場合、いずれかの入力端子から最後に入力されたフレーム画像を全画面で表示するようにフレーム画像の表示制御が行われる。この制御により、ユーザが最も注目したいフレーム画像を常に画面に表示可能となる。
図２は、第１実施形態に係る映像表示装置１００の機能構成について概要を示すブロック図である。映像表示装置１００は図示しない送信機器からフレーム画像の信号を受信する。送信機器から高解像度フレーム画像を受信する場合、４つの分割映像受信部１０１乃至１０４は領域分割された各フレーム画像の信号をそれぞれ受信する。また、標準フレーム画像を受信する場合には、１つの受信部にて１つのフレーム画像の信号を受信する。
【００１２】
第１の分割映像受信部１０１は、例えば図１（Ａ）に示す左上画像１０Ａの信号または標準フレーム画像の信号を、第１の伝送ケーブル１１８から受信する。第１の分割映像受信部１０１は、受信したフレーム画像信号を映像統合処理部１０５と第１の境界領域抽出部１０９に送信する。第２乃至４の分割映像受信部１０２乃至１０４についても、第１の分割映像受信部１０１の場合と同様に、第２乃至４の伝送ケーブル１１９乃至１２１をそれぞれ介してフレーム画像の信号を受信する。例えば、第２の分割映像受信部１０２は、図１（Ａ）の右上画像１０Ｂの信号を受信し、第３の分割映像受信部１０３は左下画像１０Ｃの信号を受信し、第４の分割映像受信部１０４は右下画像１０Ｄの信号を受信する。その後、第２乃至４の分割映像受信部１０２乃至１０４は、受信した分割フレーム画像の各信号を、映像統合処理部１０５と第２乃至４の境界領域抽出部１１０乃至１１２にそれぞれ伝送する。また、送信機器から標準フレーム画像の信号を受信する場合に分割映像受信部１０２乃至１０４は、受信した標準フレーム画像の信号を、映像統合処理部１０５と境界領域抽出部１１０乃至１１２にそれぞれ送信する。各分割映像受信部１０１乃至１０４では、個々の分割フレーム画像の間に遅延がなく、同期した分割フレーム画像を受信するので、分割フレーム画像を順次に統合すれば、同期のとれた元の高解像度フレーム画像を再現できる。
【００１３】
映像統合処理部１０５は、高解像度フレーム画像の伝送の場合に、各分割映像受信部１０１乃至１０４から分割フレーム画像の各データを受信し、これらを統合して１枚の高解像度統合フレーム画像を生成する処理を行う。映像統合処理部１０５は、生成した画像データを画像領域調整部１０７に送信する。すべての分割映像受信部ではなく、一部の分割映像受信部で分割フレーム画像の信号を受信する場合には、単色のフレーム画像の挿入処理が行われる。本実施形態では黒色のフレーム画像（黒フレーム画像という）を使用する。例えば、第１および第２の分割映像受信部１０１、１０２がそれぞれ左上画像１０Ａ、右上画像１０Ｂの各信号を受信し、第３および第４の分割映像受信部１０３、１０４は信号を受信しない場合を想定する。左下画像１０Ｃおよび右下画像１０Ｄに相当する位置には黒フレーム画像が挿入される。この処理により、１枚の高解像度統合フレーム画像が生成される。後述するように映像統合処理部１０５は、標準分割フレーム画像判断部１１５から指定されたフレーム画像を黒フレーム画像に置き換える機能を有する。
【００１４】
標準フレーム画像選択部１０６は、高解像度フレーム画像の場合、各分割映像受信部１０１乃至１０４からそれぞれ分割フレーム画像のデータを受信する。標準フレーム画像選択部１０６は、後述の標準分割フレーム画像判断部１１５から制御情報を受けて、送信すべき標準フレーム画像を決定する。この制御情報は、複数のフレーム画像のうちのどれを標準フレーム画像として後段の画像領域調整部１０７に送信するかを示す。但し、不図示の送信機器が高解像度フレーム画像を伝送する場合、標準フレーム画像選択部１０６は特に処理を行わない。
【００１５】
画像領域調整部１０７は、映像統合処理部１０５および標準フレーム画像選択部１０６からそれぞれフレーム画像を受信し、標準分割フレーム画像判断部１１５からの制御情報に従って、どちらのフレーム画像を出力するかを選択する。映像統合処理部１０５から受信した分割フレーム画像を出力する場合には、受信したフレーム画像信号がそのまま表示部１０８に出力される。また標準フレーム画像選択部１０６から受信したフレーム画像信号を出力する場合には、表示部１０８にて全画面表示になるよう解像度変換が行われた後、変換後の信号が表示部１０８に出力される。高解像度画像を表示可能な表示部１０８には、電子放出素子を有する表示パネル、液晶ディスプレイパネル、プラズマディスプレイパネル、有機ＥＬ（Electro-Luminescence）ディスプレイパネル等が適用可能である。
【００１６】
第１乃至４の境界領域抽出部１０９乃至１１２は、受信したフレーム画像の境界部を抽出する。高解像度フレーム画像の場合、図３に示すように、第１の境界領域抽出部１０９は、第１の分割映像受信部１０１から左上画像１０Ａの信号を受信し、その境界部１２Ａを抽出する。第１の境界領域抽出部１０９は、分割フレーム画像にて元の高解像度フレーム画像の繋ぎ目である境界部付近の部分画像（境界領域フレーム画像という）のデータを抽出する。このように、ある限られた範囲の、境界付近の部分画像のデータを抽出することにより、エッジ検出処理を行う際の演算量を低減できる。抽出範囲としては、エッジ検出が可能な領域あればよく、例えば繋ぎ目から数十ピクセル程度の範囲に設定すればよい。第１の境界領域抽出部１０９は、境界領域フレーム画像のデータを抽出して境界領域フレーム画像統合処理部１１３に送信する。また、第１の分割映像受信部１０１から標準フレーム画像の信号を出力する場合も、同様の処理が行われる。
【００１７】
第２乃至４の境界領域抽出部１１０乃至１１２でも第１の境界領域抽出部１０９と同様の処理が実行される。高解像度フレーム画像の場合、第２乃至４の分割映像受信部１０２乃至１０４からそれぞれ分割フレーム画像の信号を受信すると、各抽出部は図３に示す担当領域について境界部１２Ｂ乃至Ｄのフレーム画像を抽出する。抽出された境界領域フレーム画像の各データは、境界領域フレーム画像統合処理部１１３に送信される。また、標準フレーム画像の場合にも同様の処理が行われる。
【００１８】
境界領域フレーム画像統合処理部１１３は、図３に画像１３で示すように、入力された複数のフレーム画像から１枚の境界領域統合フレーム画像を生成し、エッジ検出部１１４にデータを送信する。エッジ検出部１１４は、境界領域フレーム画像統合処理部１１３で統合処理された境界領域統合フレーム画像を受信してエッジ検出処理を行う。エッジ検出部１１４は、複数のフレーム画像の繋ぎ目となる境界部にて画像連続性検出を行う。つまり、エッジ検出部１１４は境界領域統合フレーム画像内の領域に対してエッジ部が連続しているか、エッジ部が不連続であるかについて判定を行い、エッジ情報を作成する（その詳細については後述する）。エッジ検出部１１４は作成したエッジ情報を標準分割フレーム画像判断部１１５に送信する。
【００１９】
標準分割フレーム画像判断部１１５は、エッジ検出部１１４からエッジ情報を受信し、後述する類別処理によってタイプを判断する。標準分割フレーム画像判断部１１５は、この類別判定に従い、表示部１０８に表示させるフレーム画像を決定する画像信号判断処理を行う。標準分割フレーム画像判断部１１５は類別判定後、最後に入力されたフレーム画像の境界領域において、エッジ部の連続している領域が存在するか否かを調べる。その結果、エッジ部が連続している領域が１つ以上存在した場合、入力されたフレーム画像は分割フレーム画像であると判断される。標準分割フレーム画像判断部１１５は、画像領域調整部１０７に対して、映像統合処理部１０５から受信した高解像度統合フレーム画像を出力するように制御を行う。他方、エッジ部が連続している領域がなかった場合には、入力されたフレーム画像は標準フレーム画像であると判断される。標準分割フレーム画像判断部１１５は、画像領域調整部１０７に対して標準フレーム画像選択部１０６から受信したフレーム画像を出力するように制御を行う。このとき、標準フレーム画像選択部１０６に対して、最後に入力された標準フレーム画像は、画像領域調整部１０７が全画面表示を行うために拡大処理を行ってから表示部１０８に出力する。
図２に示すシステム制御部１１６は共通バス１１７に接続されており、本実施形態に係る各種の処理について制御を行う。共通バス１１７は各機能ブロックの間で各種データやコマンド（制御情報を含む）を送受信するためのバスである。
【００２０】
次に、映像表示装置１００にて予め伝送本数や解像度等の受信フォーマットの情報を設定することなく、高解像度フレーム画像または標準フレーム画像を表示させるための処理について、図６のフローチャートを参照して説明する。
先ず、処理開始のトリガについて説明する。このトリガは、映像表示装置１００に新規のフレーム画像の信号が入力されたと検出されたことである。つまり、第１乃至４の分割映像受信部１０１乃至１０４のいずれかが、新たにフレーム画像の信号を受信した場合、処理が開始する（Ｓ１００）。
【００２１】
標準分割フレーム画像判断部１１５は、エッジ検出部１１４からエッジ情報を受信し、類別判断を行う（Ｓ１０１）。以下、タイプ判別方法について説明する。まず、送信機器から高解像度フレーム画像を受信する場合、各分割映像受信部１０１乃至１０４が受信した各フレーム画像は、表示画面上で最終的に図４（Ａ）のように配置されて表示される。以下では左上領域を第１の領域１３０、右上領域を第２の領域１３１、左下領域を第３の領域１３２、右下領域を第４の領域１３３と呼ぶ。
【００２２】
また境界領域抽出部１０９乃至１１２が抽出する境界部を図４（Ｂ）に示す。
・第１の境界領域１３４（第１の領域１３０と第２の領域１３１の境界部、つまり、十字状部分の上側領域）。
・第２の境界領域１３５（第２の領域１３１と第４の領域１３３の境界部、つまり、十字状部分の右側領域）。
・第３の境界領域１３６（第１の領域１３０と第３の領域１３２の境界部、つまり、十字状部分の左側領域）。
・第４の境界領域１３７（第３の領域１３２と第４の領域１３３の境界部、つまり、十字状部分の下側領域）。
境界領域統合フレーム画像に対して、エッジ検出部１１４はエッジ検出を行い、上記の各境界領域においてエッジが連続しているか、または不連続であるかを判定する。この判定結果を示すエッジ情報は、標準分割フレーム画像判断部１１５に送信される。標準分割フレーム画像判断部１１５は、エッジ情報を参照することで、以下に示す７つのタイプに区分する（図５参照）。
【００２３】
（１）タイプ１：画面横方向の境界領域においてのみ、エッジの連続した領域（以下、エッジ連続領域という）が１つ存在する類型。
図５（１）はタイプ１の例を示しており、第３の境界領域１３６にエッジ連続領域が存在し、それ以外の境界領域ではエッジが不連続である。タイプ１では、表示画面の縦方向に分割フレーム画像を結合する処理が行われ、１つの縦長結合画像が生成される。
【００２４】
（２）タイプ２：画面縦方向の境界領域においてのみ、エッジ連続領域が１つ存在する類型。
図５（２）はタイプ２の例を示しており、第１の境界領域１３４にエッジ連続領域が存在し、それ以外の境界領域ではエッジが不連続である。タイプ２では表示画面の横方向に分割フレーム画像を結合する処理が行われ、１つの横長結合画像が生成される。
【００２５】
（３）タイプ３：画面横方向の境界領域にてエッジ連続領域が２つ存在し、画面縦方向の境界領域にはエッジ連続領域が存在しない類型。
図５（３）はタイプ３の例を示しており、境界領域１３５および１３６にエッジ連続領域が存在し、境界領域１３４および１３７ではエッジが不連続である。タイプ３では表示画面の縦方向に分割フレーム画像を結合する処理が行われ、２つの縦長結合画像が生成される。
【００２６】
（４）タイプ４：画面縦方向の境界領域にエッジ連続領域が２つ存在し、画面横方向の境界領域にはエッジ連続領域が存在しない類型。
図５（４）はタイプ４の例を示しており、境界領域１３４および１３７にエッジ連続領域が存在し、境界領域１３５および１３６ではエッジが不連続である。タイプ４では表示画面の横方向に分割フレーム画像を結合する処理が行われ、２つの横長結合画像が生成される。
【００２７】
（５）タイプ５：画面縦方向および横方向の境界領域にそれぞれエッジ連続領域が１つずつ存在する類型。
図５（５）はタイプ５の例を示しており、境界領域１３４および１３６にエッジ連続領域が存在し、境界領域１３５および１３７ではエッジが不連続である。タイプ５では表示画面の縦方向および横方向に分割フレーム画像を結合する処理が行われ、１つのＬ字形の結合画像が生成される。
【００２８】
（６）タイプ６：全ての境界領域にエッジ連続領域が存在する類型。
図５（６）はタイプ６の例を示しており、境界領域１３４乃至１３７にそれぞれエッジ連続領域が存在する。タイプ６では表示画面の縦方向および横方向に分割フレーム画像を結合する処理が行われ、１つの矩形状の結合画像が生成される。
【００２９】
（７）タイプ７：各境界領域にエッジ連続領域がない類型。
図５（７）はタイプ７の例を示しており、境界領域１３４乃至１３７のいずれにもエッジ連続領域は存在しない。タイプ７の場合、結合処理は行われず、標準フレーム画像が表示される。
【００３０】
なお、標準分割フレーム画像判断部１１５はエッジの連続性に着目してタイプを判別するが、例えば境界部における各画像の画素データの相関度に基づいて判別してもよい。つまり、境界領域にて画像信号の垂直相関演算又は水平相関演算の結果から画像の連続領域の有無を判断することができ、画素データ同士の相関度が閾値を超える場合に連続性があると判定される。
【００３１】
図６のＳ１０１では、入力されたフレーム画像に対してタイプ１乃至７の判定が行われる。つまり、エッジ検出結果に基づいてタイプ判別処理が実行され、判別結果がタイプ７の場合、Ｓ１０２に処理を進める。タイプ７では、新たな入力フレーム画像が標準フレーム画像であると判断され、拡大処理が実行されて画像データが表示部１０８に送信される。表示部１０８は受信した画像データに従って全画面表示を行う。その後、処理を終了する（Ｓ１０５）。
【００３２】
一方、Ｓ１０１にて、判定結果がタイプ１から６の何れかである場合、Ｓ１０３に処理を進める。標準分割フレーム画像判断部１１５は、新規に入力された第１画像（以下、新規入力画像という）の領域を含む境界領域に係るエッジ情報から、当該画像の境界の２領域がともに不連続であるか否かを調べる。新規入力画像の境界にて２領域ともにエッジが不連続であると判定された場合、新規入力画像は標準フレーム画像であると判断され、Ｓ１０２へ進む。例えば、タイプ１にて新規入力画像の左端縁および上端縁に位置する境界領域がいずれもエッジ連続領域でないと判定された場合、新規入力画像は受信済みの第２画像（フレーム画像）とともに元画像を構成する分割フレーム画像でないと判定される。また、新規入力画像の境界にて１領域以下でエッジの不連続が判断された場合、新規入力画像は受信済みの第２画像とともに元画像を構成する分割フレーム画像であると判断され、Ｓ１０４へ処理を進める。なお、エッジが不連続となる領域が存在しない場合（タイプ６）には、新規入力画像は他の複数の第２画像とともに元画像を構成するので、Ｓ１０４に進む。
【００３３】
Ｓ１０４で映像統合処理部１０５は、標準分割フレーム画像判断部１１５からの判定結果情報に基づき、タイプ１乃至５に応じて黒フレーム画像を挿入し、複数の分割フレーム画像を統合して１つの画像に合成する。つまり、新規入力画像を含めた、元画像に関連する分割フレーム画像と、当該画像以外のフレーム画像に対して挿入された黒フレーム画像から１つの結合画像が生成される（図８（Ａ）参照）。
【００３４】
ここで一例として、Ｓ１０１にてタイプ５と判断された場合、つまり、新規入力画像がタイプ５に類別される分割フレーム画像の１つであった場合について説明する。映像統合処理部１０５は、分割映像受信部１０１乃至１０４のいずれかに対して画像データ入力がなされなかった領域について黒画像データを挿入する処理を行い、高解像度の統合されたフレーム画像のデータを生成する。さらに画像領域調整部１０７は、映像統合処理部１０５からフレーム画像データを受信して処理を行い、表示部１０８に送信する。表示部１０８は受信したデータに従って統合された１つの画像を表示し、処理を終了する（Ｓ１０５）。なお、エッジが不連続となる領域が存在しない場合（タイプ６）には、黒画像データの挿入は不要であり、エッジ連続領域が検出された複数の分割フレーム画像から統合された画像のデータが生成される。
【００３５】
他方、新規入力画像が、元画像を構成する分割フレーム画像の１つではなく、標準フレーム画像であった場合、当該フレーム画像は拡大処理が施されて表示される。つまり、標準フレーム画像選択部１０６は、標準分割フレーム画像判断部１１５の判定結果に従って、分割映像受信部１０１乃至１０４から標準フレーム画像と判定された画像データを選択して画像領域調整部１０７に出力する。画像領域調整部１０７は、標準フレーム画像選択部１０６から受信したフレーム画像に対して全画面表示になるよう解像度変換を行い、画像処理後の信号を表示部１０８に出力する。
【００３６】
一例として、Ｓ１０１にてタイプ３と判断された場合について説明する。タイプ３の状態は、表示画面の縦方向において２つの分割フレーム画像で１枚の画像を構成する高解像度画像（統合画像）が２組入力されている場合に相当する。新規入力画像が縦長の統合画像を構成する分割フレーム画像の１つでない場合、エッジ情報により、表示画面の縦方向における境界領域にてエッジ連続領域が存在しないことが分かる。新規入力画像は標準フレーム画像と判断され、全画面表示のために拡大処理が実行される。なお、画像領域調整部１０７は、新規入力画像が含まれる高解像度の統合画像の組み合わせ方について表示部１０８に表示させる制御を行う。ユーザはこの表示を見ることにより、元画像の再現に関連する分割フレーム画像以外のフレーム画像に対して黒画像のデータが挿入されていることを把握できる。
【００３７】
以上の事項をまとめると、フレーム画像の組み合わせについて、どのようなタイプに類別されるか、および新規入力画像が既に入力されているフレーム画像に対して分割フレーム画像であるか否かの２条件について判定処理が実行される。これらの判定結果に基づいて、表示フレーム画像の配置が決定される。新規入力画像が標準フレーム画像の場合、当該画像は拡大されて表示部１０８に全画面表示される。また、新規入力画像が分割フレーム画像の場合、当該画像を含む高解像度の統合画像が表示される。よって、ユーザは予め、映像表示装置１００に対して、伝送ケーブルの本数や解像度等の受信フォーマットに関する設定操作を行う必要がない。すなわち、入力されたフレーム画像の連続性検出結果に基づいてフレーム画像の表示制御の内容が変更されるので、複数の分割フレーム画像を統合した高解像度画像、または標準フレーム画像が自動的に切り替わって表示部１０８に表示される。
【００３８】
第１実施形態によれば、高解像度画像を構成する分割フレーム画像および標準フレーム画像について画像連続性検出により自動で判別して表示させることができる。
なお、前記第１実施形態では、送信機器からそれぞれの分割映像受信部への同期信号について確認を行っていない。しかし、同期信号を予め確認しておくことで、同期信号が異なると判断される場合には、エッジ検出を行う前に新規入力画像が標準フレーム画像であると判断できる。この場合も、新規入力画像が拡大処理されて全画面表示が行われる。
【００３９】
［第２実施形態］
次に本発明の第２実施形態を説明する。
第２実施形態では、ｋ（1≦ｋ＜ｎ）、およびｊ（1≦ｊ＜ｍ）を自然数変数とするとき、表示画面の横方向にてｋ分割され、または縦方向にてｊ分割された分割フレーム画像に係る分割画像信号を受信可能である。例えば、ｍおよびｎの値をそれぞれ２とするとき、ｋ＝１、ｊ＝２の場合、２つの分割フレーム画像にて１枚の縦長の高解像度画像を構成する処理が可能である。これは、第１実施形態にてタイプ３として例示したように、縦方向に２分割した高解像度画像の場合に相当する。第１実施形態では、表示画面の右半分または左半分の領域のみに表示が行われるため（図８（Ａ）参照）、画面の表示面積を有効に利用していない。そこで第２実施形態ではこのような入力時でも画面領域を有効に使用する手段について説明する。なお、第１実施形態の場合と同様の構成要素については既に使用した符号に１００を加算した符号を用いることによって、それらの詳細な説明を省略し、以下では、主として第１実施形態との相違点を説明する。
【００４０】
図７は、第２実施形態に係る映像表示装置２００の機能構成について概要を示すブロック図である。
映像統合処理部２０５は、第１実施形態で説明した処理以外に、分割フレーム画像領域調整部２２２から表示位置調整情報を受信し、表示位置を変更する機能も併せ持つ。図８（Ｂ）は、上下に２分割された分割フレーム画像が分割映像受信部２０１、２０２に入力された場合、それらを統合した画像が表示画面の中央に表示された例を示す。本例では、分割フレーム画像２０Ａが表示画面の上半部にて中央に表示され、分割フレーム画像２０Ｂが表示画面の下半部にて中央に表示されて、１つの統合画像を構成する。
【００４１】
分割フレーム画像領域調整部２２２は、分割映像受信部２０１乃至２０４からフレーム画像信号を受信する。受信したフレーム画像が２つの場合、分割フレーム画像領域調整部２２２は元画像に係る上側画像と下側画像の各信号を受信していることを認識し、映像統合処理部２０５に対して統合画像が図８（Ｂ）に示す位置で表示されるように表示位置情報を送信する。
【００４２】
基本的な処理の流れは、第１実施形態の場合と同様であるが、統合画像の生成時にて表示位置をシフトさせて画面の中央へ寄せる位置変更制御が図６のＳ１０４に追加される。
第２実施形態では、複数の入力端子を全て使用しないフレーム画像の入力に対しても、ユーザが予め映像表示装置２００に伝送本数や解像度等の受信フォーマットに関する設定操作を行う必要はない。すなわち、高解像度フレーム画像または標準フレーム画像を自動判別して表示部２０８に表示可能である。さらには、表示の際、前記した表示位置の変更処理により、統合画像を画面中央に表示できるので、表示領域を有効に利用できる。
【００４３】
［第３実施形態］
次に本発明の第３実施形態を説明する。
第１実施形態および第２実施形態では、４つの入力端子にそれぞれ入力されるフレーム画像に対して、どのフレーム画像がどの入力端子に対応しているかについては、固定しているものとして扱っていた。第３実施形態では、フレーム画像信号と併せて各フレーム画像の配置情報（以下、フレーム画像ＩＤ情報という）を伝送する形態にて、第１実施形態と同様に処理可能な構成を説明する。フレーム画像ＩＤ情報は、それぞれの分割フレーム画像をどの位置に配置させるかを示す情報（相対位置情報）を含むものとする。
【００４４】
図９は、第３実施形態に係る映像表示装置３００の機能構成について概要を示すブロック図である。なお、第１実施形態の場合と同様の構成要素については既に使用した符号に２００を加算した符号を用いることによって、それらの詳細な説明を省略し、以下では、主として第１実施形態との相違点を説明する。
【００４５】
フレーム画像ＩＤデコード部３２２乃至３２５は、分割映像受信部３０１乃至３０４にそれぞれ入力する信号を取得して、各フレーム画像に付加して伝送されるフレーム画像ＩＤ情報を抽出し、標準分割フレーム画像判断部３１５へ送信する。フレーム画像ＩＤ情報を使用することにより、標準分割フレーム画像判断部３１５は高解像度フレーム画像の伝送か、標準フレーム画像の伝送かの判断処理を直ちに行える。第１実施形態ではエッジ検出部１１４によるエッジ情報から類別判断処理を行ったが、第３実施形態ではフレーム画像ＩＤ情報から判断できる。標準分割フレーム画像判断部３１５はフレーム画像ＩＤ情報を確認し、新規入力画像が分割フレーム画像であると判断した場合、画像領域調整部３０７に対して、映像統合処理部３０５から受信した分割フレーム画像の信号を表示部３０８へ出力するように制御する。また、フレーム画像ＩＤ情報から、新規入力画像が標準フレーム画像であると判断した場合、標準分割フレーム画像判断部３１５は画像領域調整部３０７に対して、標準フレーム画像の拡大表示を行うように指示する。この場合、画像領域調整部３０７は、標準フレーム画像選択部３０６から受信したフレーム画像を全画面表示用に拡大した信号を、表示部３０８へ出力する。
【００４６】
第３実施形態によれば、画像情報に付帯したフレーム画像ＩＤ情報を調べることによって、高解像度フレーム画像または標準フレーム画像の判別を行い、形態別に画像表示することができる。
なお、各実施形態では縦横２×２の４分割フレーム画像を説明したが、画像の分割数は限定されるものでない。例えば３×３の９分割を前提とし、それよりも一回り小サイズの２×２の画像、あるいは１×３の横長画像等の信号を受信して、表示部１０８に描画させる場合でも、前記処理を適用可能である。
【符号の説明】
【００４７】
１００，２００，３００  映像表示装置
１０１乃至１０４，２０１乃至２０４，３０１乃至３０４  分割映像受信部
１０５，２０５，３０５  映像統合処理部
１０６，２０６，３０６  標準フレーム画像選択部
１０７，２０７，３０７  画像領域調整部
１０８，２０８，３０８  表示部
１１４，２１４  エッジ検出部
１１５，２１５，３１５  標準分割フレーム画像判断部
２２２  分割フレーム画像領域調整部
３２２乃至３２５  フレーム画像ＩＤデコード部
【図１】
2013120204.tif 000003
【図２】
2013120204.tif 000004
【図３】
2013120204.tif 000005
【図４】
2013120204.tif 000006
【図５】
2013120204.tif 000007
【図６】
2013120204.tif 000008
【図７】
2013120204.tif 000009
【図８】
2013120204.tif 000010
【図９】
2013120204.tif 000011